(57)【要約】【課題】菱形金網を形成する列線の緊張度を緩めることなく前面網又は後面網の長さを調整することが可能な角形蛇篭を得る。【解決手段】菱形金網からなる角形蛇篭１Ａの前面網３を、菱形金網の列線１０を縦向きに配設して形成し、該前面網３内の互いに異なる位置にある引寄用列線１０Ａ，１０Ａ同士を相互間の間隔が狭まる方向に引き寄せて連結金具１４で互いに連結することにより、該前面網３の長さを後面網４の長さより短く形成し、それによって角形蛇篭１Ａの平面視形状を台形又は扇紙形に形成する。【選択図】図１
2012021321.tif 000002
【特許請求の範囲】
【請求項１】
前辺が後辺より短い平面視形状が台形又は扇紙形の底面網と、該底面網の前辺及び後辺に連結された正面視形状が矩形の前面網及び後面網と、前記底面網の左右の側辺に連結された側面視形状が矩形の左右の側面網と、平面視形状が台形又は扇紙形の上面網とからなる角形蛇篭において、
前記底面網と、前面網及び後面網と、左右の側面網と、上面網とは、偏平な螺旋状に折曲された複数の列線を折曲部で順次連繋してなる菱形金網により形成され、
前記前面網及び後面網のうち一方の面網は、横方向長さが調整された調整網であり、この調整網においては、前記列線が縦向きに配設され、該列線の上下端にはそれぞれ環が形成されていて、該環内を調整網の上辺及び下辺に取り付けられた枠線が貫通し、それによって前記列線が前記枠線に取り付けられると共に該枠線に沿って移動自在であり、また、該調整網の互いに異なる位置にある引寄用列線同士が相互間の間隔が狭まる方向に引き寄せられて互いに連結されることにより、該調整網の長さが他方の面網の長さより短く形成されている、
ことを特徴とする角形蛇篭。
【請求項２】
前記調整網は１枚の金網板により形成され、該金網板の異なる位置にある引寄用列線同士が相互に引き寄せられて互いに連結されていることを特徴とする請求項１に記載の角形蛇篭。
【請求項３】
前記調整網は、複数の金網板を互いに重なり合わないように間隔をおいて配置することにより形成され、隣接する金網板の端部に位置する引寄用列線同士が相互に引き寄せられて互いに連結されていることを特徴とする請求項１に記載の角形蛇篭。
【請求項４】
前記引寄用列線は、該引寄用列線内に縦向きに挿通した骨線を介して相互に引き寄せられ、該骨線同士を連結することにより互いに連結されていることを特徴とする請求項１から３の何れかに記載の角形蛇篭。
【請求項５】
前記引寄用列線は、互いが直接引き寄せられると共に、折曲部において連結金具で直接連結されていることを特徴とする請求項１から３の何れかに記載の角形蛇篭。
【請求項６】
前記底面網及び上面網は、互いに異なる位置にある引寄用列線内にそれぞれ骨線を挿入し、これらの骨線を前端側ほど相互間の間隔が次第に狭まるように引き寄せて相互に連結することにより台形又は扇紙形に形成されていることを特徴とする請求項１から５の何れかに記載の角形蛇篭。
【発明の詳細な説明】
【技術分野】
【０００１】
本発明は、前面網又は後面網の長さを調整することによって平面視形状が台形あるいは扇紙形をなすように形成した角形蛇篭に関するものである。
【背景技術】
【０００２】
例えば、海岸、河岸、湖岸等の岸辺に護岸壁を構築したり、傾斜地の法面に補強壁を構築したりする場合に、角形蛇篭が使用される。この角形蛇篭は、菱形金網によって容器形に形成され、内部に栗石を詰めた状態で現場に設置されるもので、複数の蛇篭を岸辺や法面に沿って横に並べると共に、上下に複数段段積することにより、前記護岸壁や補強壁が構築される。その際、岸辺や法面が湾曲していると、前記護岸壁や補強壁もそれに倣って湾曲した形に形成しなければならない。
【０００３】
ところが、前記蛇篭は、通常、直方体状をしているため、それを左右に並べて湾曲する護岸壁や補強壁を形成しようとすると、隣接する蛇篭の側面網間に後方広がりあるいは前方広がりの隙間が形成されてしまう。
【０００４】
そこで、隣接する蛇篭の側面網間にこのような隙間が形成されないようにするため、特許第３３５４１３４号により、前面網の寸法を調整することによって角形蛇篭を平面視形状が台形をなすように形成する技術が、本出願人により提案されている。この技術を用いれば、蛇篭を隙間無く並べて湾曲した護岸壁や補強壁を構築することができる。
【０００５】
ところが、前記従来の技術は、菱形金網を形成する列線の緊張度を緩めることによって前面網の長さを短くするものであるため、充填した栗石の荷重が該前面網に強く作用した場合、列線の変形によって該前面網が外側に膨れることがある。
【先行技術文献】
【特許文献】
【０００６】
【特許文献１】特許第３３５４１３４号公報
【発明の概要】
【発明が解決しようとする課題】
【０００７】
本発明の技術的課題は、菱形金網を形成する列線の緊張度を緩めることなく前面網又は後面網の長さを調整することが可能な角形蛇篭を提供することにある。
【課題を解決するための手段】
【０００８】
前記課題を解決するため、本発明によれば、前辺が後辺より短い平面視形状が台形又は扇紙形の底面網と、該底面網の前辺及び後辺に連結された正面視形状が矩形の前面網及び後面網と、前記底面網の左右の側辺に連結された側面視形状が矩形の左右の側面網と、平面視形状が台形又は扇紙形の上面網とからなる角形蛇篭において、前記底面網と、前面網及び後面網と、左右の側面網と、上面網とは、偏平な螺旋状に折曲された複数の列線を折曲部で順次連繋してなる菱形金網により形成され、前記前面網及び後面網のうち一方の面網は、横方向長さが調整された調整網であり、この調整網においては、前記列線が縦向きに配設され、該列線の上下端にはそれぞれ環が形成されていて、該環内を調整網の上辺及び下辺に取り付けられた枠線が貫通し、それによって前記列線が前記枠線に取り付けられると共に該枠線に沿って移動自在であり、また、該調整網の互いに異なる位置にある引寄用列線同士が相互間の間隔が狭まる方向に引き寄せられて互いに連結されることにより、該調整網の長さが他方の面網の長さより短く形成されていることを特徴とする角形蛇篭が提供される。
【０００９】
本発明の１つの構成態様によれば、前記調整網が１枚の金網板により形成され、該金網板の異なる位置にある引寄用列線同士が相互に引き寄せられて互いに連結されている。
本発明の他の構成態様によれば、前記調整網が、複数の金網板を互いに重なり合わないように間隔をおいて配置することにより形成され、隣接する金網板の端部に位置する引寄用列線同士が相互に引き寄せられて互いに連結されている。
【００１０】
前記引寄用列線は、該引寄用列線内に縦向きに挿通した骨線を介して相互に引き寄せられ、該骨線同士を相互に連結することにより互いに連結されていても、あるいは、互いが直接引き寄せられて折曲部において連結金具で直接連結されていても良い。
本発明において、前記底面網及び上面網は、互いに異なる位置にある引寄用列線内にそれぞれ骨線を挿入し、これらの骨線を前端側ほど相互間の間隔が次第に狭まるように引き寄せて相互に連結することで台形又は扇紙形に形成されていることが望ましい。
【発明の効果】
【００１１】
本発明によれば、菱形金網を形成する列線の緊張度を緩めることなく、前面網又は後面網の長さを調整することが可能な角形蛇篭を得ることができる。
【図面の簡単な説明】
【００１２】
【図１】本発明に係る角形蛇篭の第１実施形態を示す斜視図である。
【図２】図１の角形蛇篭を分解して示す平面図である。
【図３】長さ調整された前面網の拡大正面図である。
【図４】長さ調整途中の前面網の正面図である。
【図５】本発明に係る角形蛇篭の第２実施形態を示す平面図である。
【図６】底面網又は上面網を台形又は扇紙形に変形させる方法を示す変形前の平面図である。
【図７】底面網又は上面網を台形又は扇紙形に変形させた状態の平面図である。
【図８】前面網の他例を示す正面図である。
【図９】図８の前面網の長さ調整前の正面図である。
【図１０】図１に示す平面視台形の蛇篭で形成された護岸壁の平面図である。
【図１１】図５に示す平面視扇紙形の蛇篭で形成された護岸壁の平面図である。
【発明を実施するための形態】
【００１３】
図１には本発明に係る角形蛇篭の第１実施形態が示されている。この角形蛇篭１Ａは、平面視形状が台形の容器形をしたもので、その内部に栗石を充填した状態で岸辺や法面等に沿って設置され、図１０に示すような湾曲した護岸壁あるいは補強壁等を構築するものである。
【００１４】
前記角形蛇篭１Ａは、図２に示すように、前辺２ａが後辺２ｂより短い平面視形状が台形の底面網２と、該底面網２の前辺２ａ及び後辺２ｂに連結される平面視形状（図１では正面視形状）が矩形の前面網３及び後面網４と、前記底面網２の左右の側辺２ｃに連結される平面視形状（図１では側面視形状）が矩形の左右の側面網５と、平面視形状が台形の上面網６とで形成されている。
【００１５】
前記底面網２と、前面網３及び後面網４と、左右の側面網５と、上面網６とは、偏平な螺旋形に折曲された複数の列線１０の折曲部１０ａ同士を順次連繋させてなる菱形金網によって別々に形成され、各面網の周囲には、針金からなる枠線１１ａ，１１ｂ，１１ｃ，１１ｄが、各列線１０の端部に形成された環１２と面網の端部に位置する列線１０の折曲部１０ａとに挿通されることにより取り付けられ、隣接する面網の相対する枠線１１ａ，１１ｂ，１１ｃ，１１ｄ同士を適宜構造の連結金具１３で相互に連結することにより、前記角形蛇篭１Ａが形成されている。図１の例では、前記連結金具１３として、針金を螺旋状に曲げて形成したスクリューストッパが用いられている。
【００１６】
前記底面網２と上面網６とは、菱形金網の列線１０を前後方向即ち前辺２ａ，６ａと後辺２ｂ，６ｂとを結ぶ方向に配設することにより形成されていて、前辺２ａ，６ａに取り付けられた枠線１１ａの長さを後辺２ｂ，６ｂに取り付けられた枠線１１ｂの長さより短く形成することにより、該前辺２ａ，６ａの横方向の長さが後辺２ｂ，６ｂの横方向の長さより短く形成され、それによって該底面網２及び上面網６が平面視台形状に形成されている。このとき、該底面網２及び上面網６における各列線１０は、前辺２ａ，６ａ側に行くに従って次第に列線１０相互の緊張の度合いが緩んだ状態になり、列線１０同士の重なる割合が増加している。
【００１７】
前記前面網３及び後面網４は、菱形金網の列線１０を縦向き（図１の上下方向）に配設することにより形成されていて、各列線１０の上下端に形成された環１２内を上下の枠線１１ａ，１１ｂが遊挿状態に貫通しており、それによって各列線１０が前記枠線１１ａ，１１ｂに取り付けられると共に、該枠線１１ａ，１１ｂに沿って移動自在となっている。
【００１８】
前記前面網３は、最初は前記後面網４と同一構成及び同一大きさに形成されていたものを、長さ調整することにより、横方向の長さＬが前記後面網４の横方向の長さより小さく且つ前記底面網２の前辺２ａの長さと同じ長さになるように形成されたものである。これに対して前記後面網４は、長さ調整することなく、その長さが前記底面網２の後辺２ｂと同じ長さに形成されている。従って、この実施形態において、前記前面網３は長さ調整された調整網であり、後面網４は長さ調整されていない非調整網であると言い換えることができる。
【００１９】
前記前面網３の長さ調整は次のようにして行われている。即ち、図４に示すように、該前面網３内の互いに異なる位置にある２つの列線１０，１０（以下、「引寄用列線」と称して符号「１０Ａ」を付すものとする。）の内部にそれぞれ針金等からなる骨線１７が縦向きに挿入され、該骨線１７の上下端にはそれぞれ環１７ａが形成されていて、該環１７ａ内に上下の枠線１１ａ，１１ｂが移動自在に挿通されている。そして、図３に示すように、前記２本の骨線１７を相互間の間隔が均等に狭まる方向に引き寄せ、それらを適宜の連結金具１４で相互に連結することにより、長さ調整が行われている。
【００２０】
この場合、該前面網３の上下に横向きに取り付けられた上下の枠線１１ａ，１１ｂの長さも同時に縮小されるように、図４に鎖線で示すように、これら上下の枠線１１ａ，１１ｂの左右何れか一方又は両方の端部を、前面網３の左右に縦向きに取り付けられた左右の枠線１１ｃ，１１ｄの一方又は両方に対して固定させることなく、左右方向に相対的に移動できるようにフリーの状態にしておき、長さ調整後にそれらを互いに係合させて固定するようにするのが望ましい。
【００２１】
図示の例では、上下の枠線１１ａ，１１ｂの右側端が右側の枠線１１ｄの上下端に形成された環１５内を移動自在となっていて、前記２つの引寄用列線１０Ａ，１０Ａを互いに引き寄せたとき、右側の引寄用列線１０Ａに順次連なる他の列線１０と右端の列線１０に係止する前記枠線１１ｄとが、上下の枠線１１ａ，１１ｂに沿って長さ調整後の位置まで一体となって移動し、それによって該上下の枠線１１ａ，１１ｂの長さも必要な長さに縮小されるようになっている。
【００２２】
前記２つの引寄用列線１０Ａ，１０Ａとしては、少なくとも１つの列線１０を介して互いに離れた位置にある列線同士が選択されるが、これら２つの引寄用列線１０Ａ，１０Ａ間に介在する列線１０（以下、「中間介在列線」と称して符号「１０Ｂ」を付すものとする。）の数が多いほど、調整できる長さは長くなる。
前記中間介在列線１０Ｂの数は、金網の網目の大きさや調整すべき長さ等にもよるが、通常は１本から３本程度が目安となる。しかし、４本以上であっても構わない。
【００２３】
前記中間介在列線１０Ｂの数が図示したように偶数本の場合、前記２本の引寄用列線１０Ａ，１０Ａは、螺旋における折曲部１０ａのピッチが互いに１／２ピッチずれた位置関係になるので、それらが互いに引き寄せられたとき、折曲部１０ａ同士が相互に近接した状態になるが、前記中間介在列線１０Ｂの数が奇数本の場合、前記２本の引寄用列線１０Ａ，１０Ａは、螺旋における折曲部１０ａのピッチが互いに同ピッチになるので、それらが引き寄せられたとき、一方の引寄用列線１０Ａの折曲部１０ａと折曲部１０ａとの間に他方の引寄用列線１０Ａの折曲部１０ａが位置することになる。
【００２４】
なお、前面網３の縮小すべき長さが大きい場合には、該前面網３の複数箇所において前記方法で長さ調整を行うことも可能である。
【００２５】
このような方法で前面網３の長さ調整を行うことにより、列線１０同士の連繋の度合いを緩めることなく、むしろ列線１０の緊張度をより高めた状態で必要な長さの前面網３を得ることができ、その結果、前面網３の強度が増大し、栗石による大きな作用力が作用しても該前面網３が外側に向けて膨らむのが防止される。
【００２６】
なお、前記２つの引寄用列線１０Ａ，１０Ａを引き寄せたとき、それらの間に介在する前記中間介在列線１０Ｂは緩んだ状態になるが、列線相互の連繋状態が解除されることはないので、該中間介在列線１０Ｂが前面網３から外れて脱落したり変形したりすることはなく、蛇篭１Ａの使用に支障を来すことはない。
【００２７】
このようにして形成された角形蛇篭１Ａは、図１０に示すように、岸辺や法面に沿って湾曲する護岸壁や補強壁等を形成する場合に使用される。即ち、台形状をした角形蛇篭１Ａを、左右及び上下に並べて設置し、隣接するもの同士を適宜連結することにより、前記湾曲する護岸壁や補強壁等を形成ことができる。このとき、左右に隣接する蛇篭１Ａ，１Ａの側面網５，５同士は相互に密着し、相互間に隙間が形成されない。
【００２８】
なお、前記護岸壁や補強壁が逆向きに湾曲する部分では、前記蛇篭１Ａを前後逆向きにして使用するか、あるいは、前面網３の代わりに後面網４を同様の方法で長さ調整して使用する。この場合、該後面網４が調整網となり、前面網３は非調整網となる。このように後面網４を長さ調整する場合、底面網２及び上面網６は、それに見合った台形形状に形成される。
【００２９】
前記第１実施形態の角形蛇篭１Ａでは、前面網３及び後面網４が平坦に形成されているため、該角形蛇篭１Ａの平面視形状は台形である。
しかし、図５に示すように、前面網３を蛇篭の内側に向けて凹状に湾曲させると共に、後面網４をそれと同じ方向即ち外側に向けて凸状に湾曲させることにより、平面視形状が扇紙形をした角形蛇篭１Ｂを得ることができる。このとき、底面網２及び上面網６の前辺２ａ，６ａ及び後辺２ｂ，６ｂも、前記前面網３及び後面網４に合わせて凹状と凸状とに湾曲される。
このような扇紙形の角形蛇篭１Ｂを使用することにより、図１１に示すような全体が滑らかに湾曲する護岸壁又は補強壁を形成することが可能になる。
なお、後面網４を長さ調整する場合には、該後面網４を蛇篭の内側に向けて凹状に湾曲させ、長さ調整しない前面網３を蛇篭の外側に向けて凸状に湾曲させても良い。
【００３０】
図６及び図７には、底面網２と上面網６とを台形状に変形させるための他の方法が示されている。この方法は、前記前面網３の場合と同様に、少なくとも１つの中間介在列線１０Ｂを介して互いに離れた位置にある２つの引寄用列線１０Ａ，１０Ａの内部にそれぞれ骨線１７を挿入し、該骨線１７を介して前記２つの引寄用列線１０Ａ，１０Ａを相互に引き寄せるものである。
図中の符号１７ａは前記骨線１７の両端に形成された環で、その内部を枠線１１ａ，１１ｂが貫通している。
【００３１】
しかし、前記前面網３の場合と違うのは、２つの骨線１０Ａ，１０Ａを全体として均等な間隔に引き寄せるのではなく、図７から明らかなように、該骨線１７の後端側即ち底面網２（又は上面網６）の後辺２ｂ（又は６ｂ）側の端部は引き寄せ前の間隔のままに保持し、該骨線１７の前端側即ち底面網２（又は上面網６）の前辺２ａ（又は６ａ）側の端部を相互に引き寄せるようにし、それによって２つの骨線１７，１７の間隔を前端側に向けて次第に狭くなるようにするものである。
これにより、前記中間介在列線１０Ｂ以外は列線１０同士の連繋の度合いを緩めることなく、前記底面網２（又は上面網６）を台形状に形成することができる。
【００３２】
なお、引き寄せられた前記２つの骨線１７，１７は、前端同士を連結金具１４で相互に連結するだけでも良いが、それ以外に、中間部分の何カ所かを相互に連結しても、あるいは、全体をスクリューストッパのような連結金具で相互に連結しても良い。
【００３３】
また、前記底面網２（又は上面網６）の前辺２ａ（又は６ａ）に取り付けられた枠線１１ａの長さも同時に縮小されるように、該枠線１１ａの左右何れか一方又は両方の端部を左右の枠線１１ｃ，１１ｄの一方又は両方に対して固定させることなく、左右方向に相対的に移動できるようにフリーの状態にしておき、長さ調整後にそれらを互いに係合させて固定することは、前記前面網３の長さ調整を行う場合と同じである。
更に、図５に示すような平面視形状が扇紙形の蛇篭を形成する場合には、図７に鎖線で示すように、底面網２（又は上面網６）の前辺２ａ（又は６ａ）を蛇篭の内側に向けて凹状に湾曲させ、後辺２ｂ（又は６ｂ）を蛇篭の外側に向けて凸状に湾曲させれば良い。
【００３４】
図８及び図９には、前記図３及び図４に示す例とは異なる方法で前面網３の長さ調整を行う場合について示されている。
前記図３及び図４に示す例では、前面網３が１枚の金網板により形成されていて、該金網板内の異なる位置にある２つの引寄用列線１０Ａ，１０Ａ内にそれぞれ骨線１７を挿通し、これらの骨線１７同士を相互に引き寄せて互いに連結することにより長さ調整しているが、図８及び図９に示す例では、前面網３が複数の金網板により形成されていて、隣接する金網板の端部に位置する引寄用列線１０Ａ，１０Ａ同士を相互に引き寄せて互いに連結することにより長さ調整を行っている。
【００３５】
具体的に説明すると、図９には、２つの金網板１６Ａ，１６Ｂを互いに重なり合わないように間隔Ｓをおいて枠線１１ａ，１１ｂ，１１ｃ，１１ｄに取り付けることにより、後面網４と同じ大きさを有するように形成された長さ調整前の前面網３が示されている。前記２つの金網板１６Ａ，１６Ｂの長さの和は、後面網４の長さより前記間隔Ｓの分だけ小さい。
また、前記２つの金網板１６Ａ，１６Ｂの前記間隔Ｓを挟んで相対する側端部に位置する引寄用列線１０Ａ，１０Ａの内部には、それぞれ骨線１７が縦向きに挿入され、該骨線１７の上下端にはそれぞれ環１７ａが形成され、該環１７ａ内を上下の枠線１１ａ，１１ｂが通っている。
【００３６】
前記前面網３の長さ調整は、図８に示すように、前記骨線１７を介して２つの金網板１６Ａ，１６Ｂを前記間隔Ｓが狭まる方向に引き寄せ、２本の骨線１７を適宜の連結金具１４で相互に連結することにより行われる。これにより、前記間隔Ｓ分だけ前面網３の長さが縮小されることになる。
このとき、図８に鎖線で示すように、上下の枠線１１ａ，１１ｂの少なくとも左右何れか一端を左右の枠線１１ｃ，１１ｄの一方に対して固定せずにフリーの状態にしておき、長さ調整を行ったあとそれらを固定するようにすれば、長さ調整を簡単に行うことができる。
【００３７】
前記２つの金網板１６Ａ，１６Ｂの長さは互いに同じである必要はなく、違っていても良い。
また、金網板の数は３枚以上であっても良く、この場合には、２箇所以上で上述した長さ調整が行われることになる。
前面網３の代わりに後面網４の長さ調整を行う場合には、前記前面網３の場合と同様の方法でその長さ調整を行うことができる。
【００３８】
なお、前記各実施形態においては、前面網３又は後面網４の長さ調整を行う場合、引寄用列線１０Ａに挿通した骨線１７を相互に引き寄せて連結金具１４で互いに連結するようにしているが、前記骨線１７を使用することなく、２つの前記引寄用列線１０Ａ，１０Ａを直接引き寄せて折曲部１０ａ同士を連結金具１４で直接連結しても良い。
【００３９】
また、長さ調整されない前記左右の側面網５は、列線１０の向きが必ずしも図示したように縦向きである必要はなく、横向きであっても構わない。
【符号の説明】
【００４０】
１Ａ，１Ｂ      角形蛇篭
２      底面網
２ａ      前辺
２ｂ      後辺
２ｃ      側辺
３      前面網
４      後面網
５      側面網
６      上面網
１０      列線
１０Ａ      引寄用列線
１０Ｂ      中間介在列線
１０ａ      折曲部
１１ａ，１１ｂ，１１ｃ，１１ｄ      枠線
１２      環
１６Ａ，１６Ｂ      金網板
１７      骨線
１７ａ      環
Ｌ      長さ
Ｓ      間隔
【図１】
2012021321.tif 000003
【図２】
2012021321.tif 000004
【図３】
2012021321.tif 000005
【図４】
2012021321.tif 000006
【図５】
2012021321.tif 000007
【図６】
2012021321.tif 000008
【図７】
2012021321.tif 000009
【図８】
2012021321.tif 000010
【図９】
2012021321.tif 000011
【図１０】
2012021321.tif 000012
【図１１】
2012021321.tif 000013